(57)【要約】【課題】吸着カップが保持部の開口部内部深くめり込んで取り外しできなくなっても簡単に取り外すことができる取り外し手段を設けた吸着カップ取付装置及びそれを備えた軸出器並びにレンズメータを提供すること。【解決手段】吸着カップ２３を保持する保持部（嵌合凹部１７）を有し、眼鏡レンズＭＬに吸着カップ２３を取りつけるための吸着カップ取付装置において、吸着カップ２３を保持部から取り外すための取り外し手段（カップ押出軸２０）を設けている。【選択図】        図５
2004301676.tif 000002
【特許請求の範囲】
【請求項１】
吸着カップを保持する保持部を有し、眼鏡レンズに吸着カップを取りつける
ための吸着カップ取付装置において、
吸着カップを保持部から取り外すための取り外し手段を設けたことを特徴とする吸着カップ取付装置。
【請求項２】
請求項１に記載の吸着カップ取付装置を備えることを特徴とする軸出器。
【請求項３】
請求項１に記載の吸着カップ取付装置を備えることを特徴とするレンズメータ。
【発明の詳細な説明】
【０００１】
【発明の属する技術分野】
この発明は、吸着カップを保持部から取り外すための取り外し手段を設けた吸着カップ取付装置及びそれを備えた軸出器並びにレンズメータに関する。
【０００２】
【従来技術】
従来から、軸出器やレンズメータにおいて、眼鏡レンズの屈折面の上部から吸着カップを保持する保持部を押し、眼鏡レンズに吸着カップを取り付け、レンズ研削加工装置により眼鏡レンズを研削加工していた（特許文献１〜８）。
【０００３】
一方、眼鏡レンズと吸着カップとを吸着させるために、吸着カップには両面接着テープが使用されている。しかも、吸着カップは、フレキシブルな材料で形成されたものが主流となってきたため、剛性が小さい。また、眼鏡レンズとしては、例えば撥水コートのように、眼鏡レンズ用の両面接着テープの接着性に不利なコートが施されたものが多くなってきている。
【０００４】
従って、この様な撥水コートが施された眼鏡レンズに吸着カップを両面テープで接着させた場合、両面テープによる眼鏡レンズと吸着カップとの接着性が弱いものであった。
【０００５】
【特許文献１】実公昭４１−５４１３号公報
【特許文献２】特開平３−１７５３０号公報
【特許文献３】特公昭５６−４２４２１号公報
【特許文献４】特開平２−２１０２３８号公報
【特許文献５】特開平３−６０９６０号公報
【特許文献６】特開昭５６−２４３１６号公報
【特許文献７】特開平３−２０８５５１号公報
【特許文献８】特開平９−２４８７４６号公報
【０００６】
【本発明が解決しようとする課題】
上述したように、吸着カップはフレキシブルなゴム製等となり、眼鏡レンズ屈折面は接着性の弱い撥水性の蒸着膜がコーティングされているため、吸着カップを眼鏡レンズに取りつける際に、吸着カップをかなり押しつけなければ取りつけることができない。
【０００７】
そのため、吸着カップの本体部分（眼鏡レンズに吸着される吸着面以外の部分）が保持部の開口部内部に深くめり込み、保持部から吸着カップを抜く力より、眼鏡レンズのレンズ面（屈折面）と両面接着テープとの接着力の方が弱いため、吸着カップが取り付けられた眼鏡レンズを保持部から取り外すときに、眼鏡レンズが吸着カップから剥がれてしまうことが度々生じていた。
【０００８】
そこで、本発明では、吸着カップが保持部の開口部内部深くめり込んで取り外しできなくなっても簡単に取り外すことができる取り外し手段を設けた吸着カップ取付装置及びそれを備えた軸出器並びにレンズメータを提供することを目的とする。
【０００９】
【課題を解決するための手段】
この目的を達成するため、請求項１の発明の吸着カップ取付装置は、吸着カップを保持する保持部を有し、眼鏡レンズに吸着カップを取りつけるための吸着カップ取付装置において、吸着カップを保持部から取り外すための取り外し手段を設けたことを特徴とする。
【００１０】
また、請求項２の発明の軸出器は、請求項１に記載の吸着カップ取付装置を備えることを特徴とする。
【００１１】
更に、請求項３の発明のレンズメータは、請求項１に記載の吸着カップ取付装置を備えることを特徴とする。
【００１２】
【発明の実施の形態１】
以下、この発明の実施の形態を図面に基づいて説明する。
［構成］
図１〜図３において、１は軸出器のベース部材である筐体状の装置本体（本体ケース）、１ａは装置本体１の上壁である。この上壁１ａの前側には、図１に示したように上下に延びる円筒状突部２が形成されている。
【００１３】
しかも、この円筒状突部２の上部開口２ａは乳白色の透光板３で閉成されている。また、この透光板３の上面の中央部には、上方に突出する３つのレンズ支持ピン４，４，４がレンズ載置台として一体に設けられている。この３つのレンズ支持ピン４，４，４は、近接して正三角形状に配置されている。
【００１４】
そして、透光板３の下方には、装置本体１内に配設した照明光源（図示せず）が取り付けられている。この照明光源は、装置本体１の側部に設けた電源スイッチ５でＯＮ・ＯＦＦされるようになっている。
【００１５】
また、装置本体１の上壁１ａの後部には支柱取付筒部６が形成され、支柱取付筒部６の取付孔６ａには上方に向けた支柱７の下端部が嵌合固定されている。この支柱７上部には、筒体８が軸線回りに回動可能に且つ軸線方向に所定範囲内で移動可能（上下動可能）に取り付けられている。しかも、この筒体８は、図示しないコイルスプリングで上方にバネ付勢されている。
【００１６】
また、筒体８の下部には水平方向に延びる型板載置板９が型板載置台として一体に設けられている。この型板載置板９には円形で透明な透光板部９ａが形成されている。また、型板載置板９の下部側縁にはガイド突起１０、１０が設けられている。このガイド突起１０の環状ガイド溝１０ａには、透明なスライドプレート１１が支柱７に対して進退動可能（Ｙ方向に進退動可能）にスライドプレート１１の側縁部が係合保持されている。
【００１７】
また、スライドプレート１１の先端部及び支柱側端部の下面にはガイド突起１２、（他方図示せず）が一体に設けられている。このガイド突起１２の環状溝１２ａには、レイアウトスケール１３がスライドプレート１１の移動方向と直交する水平方向に移動可能（Ｘ方向に進退動可能）に、レイアウトスケール１３の側縁部が係合保持されている。このレイアウトスケール１３は透明なアクリル板から形成されていて、このレイアウトスケール１３には図２，図３に示したような目盛１３ａが付されている。
【００１８】
また、筒体８の上部には、型板載置板９に対して直交する方向に延びる吸着レバー１４が一体に設けられている。この吸着レバー１４の先端部には吸着カップ取付装置１５が設けられている。１６は吸着レバー１４の先端部の下面に突設された突部である。
【００１９】
吸着カップ取付装置１５は、図４，図５に示したように、突部１６に形成され且つ突部１６の下面に開口する円形の嵌合凹部１７と、吸着レバー１４の先端部の上面に開口する嵌合凹部１８と、吸着レバー１４の先端部に上下に向けて形成され且つ嵌合凹部１７，１８の中央に開口する挿通孔１９と、頭部２０ａが嵌合凹部１８に上下動可能に嵌合し且つ軸部２０ｂが挿通孔１９に嵌合されたカップ押出軸（カップ取り外し手段）２０を有する。このカップ押出軸２０は、上下動可能に且つ軸線回りには回動不能に挿通孔１９に嵌合されている。
【００２０】
そして、円形の嵌合凹部１７の上面１７ａには直径方向に延びる直線板状の位置決突起２１，２１が下方に向けて突設され、カップ押出軸２０の下端には位置決突起２１，２１間に位置させる直線板状の位置決突起２２が突設されている。このカップ押出軸２０は、位置決突起２２が位置決突起２１，２１間に一致するように位置させられた状態において、頭部２０ａの上部が嵌合凹部１８から上方に突出するような長さに設定されている。この頭部２０ａの嵌合凹部１８からの突出量は、位置決突起２２の突出量と同じだけ、又は位置決突起２２の突出量より僅かに大きい量に設定されている。尚、突部１６の下面には嵌合凹部１７に連設されたガイド溝Ｇが形成され、ガイド溝Ｇの幅方向中央にはガイド突起Ｇｔが形成されている。
【００２１】
この様な吸着カップ取付装置１５には、図５，図６に示した吸着カップ２３が着脱可能に保持されるようになっている。この吸着カップ２３は、嵌合凹部１７に嵌合させられる軸部２４と、軸部２４の一端に一体に設けられたゴム製のカップ２５と、軸部２４の他端に設けられ且つ位置決突起２１，２２に係合させられる位置決凹部（位置決溝）２６を有する。
［作用］
次に、この様な構成の軸出器の作用を説明する。
【００２２】
このような構成においては、ガイド突起Ｇｔに吸着カップ２３の位置決凹部２６を係合させて、吸着カップ２３を嵌合凹部１７側に移動させることで、吸着カップ２３の軸部２４を嵌合凹部１７に対して合わせる。この状態で、吸着カップ２３の軸部２４を吸着レバー１４の先端部に設けた嵌合凹部１７に下方から嵌合すると共に、軸部２４の位置決凹部２６を位置決突起２１，２２に下方から係合させる。この際、軸部２４は嵌合凹部１７に軽圧入されると共に、位置決突起２１，２２が位置決凹部２６に軽圧入されて、この軽圧入による摩擦力により軸部２４が嵌合凹部１７及び位置決突起２１，２２に保持される。これにより、吸着カップ２３は、ゴム製のカップ２５を下方に向けた状態で吸着レバー１４の先端部の下面に保持されている。
【００２３】
尚、軸部２４の位置決凹部２６を位置決突起２２に下方から係合させる場合、位置決突起２２と一体のカップ押出軸２０の頭部２０ａを上側から押さえ付けることで、位置決凹部２６を位置決突起２２に係合させることもできる。また、この状態で、位置決凹部２６を位置決突起２１に係合させることにより、カップ押出軸２０に設けた頭部２０ａの上部が嵌合凹部１８から図５の如く上方に突出した状態となる。
【００２４】
一方、図示しないレンズメータ等で図７の如くマークＭ１，Ｍ２，Ｍ３が印点された未加工で円形の眼鏡レンズＭＬをレンズ支持ピン４，４，４上に載置すると共に、型板載置板９を図２の如く装置本体１上に位置させる。このマークＭ１，Ｍ２，Ｍ３は、眼鏡レンズＭＬに円柱軸がある場合には円柱軸の延びる方向に一致させられている。また、透明な型板Ｔを型板載置板９の透明板部９ａ上に図２の如く載置する。
【００２５】
そして、電源スイッチ５をＯＮさせると、装置本体１内の図示しない照明光源が点灯させられる。この照明光源は、透光板３を介して眼鏡レンズＭＬを下方から照明する。これにより、眼鏡レンズＭＬのマークＭ１，Ｍ２，Ｍ３が、透明な型板Ｔ、型板載置板９の透明板部９ａ、スライドプレート１１及びレイアウトスケール１３を介して、視認できる。
【００２６】
この状態で、型板Ｔに対してレイアウトスケール１３をＸ，Ｙ方向に移動調整して、型板Ｔとレイアウトスケール１３の目盛１３ａとの位置関係を調整する一方、眼鏡レンズＭＬを前後左右に移動操作すると共に水平回転させて、眼鏡レンズＭＬのマークＭ２を目盛１３ａの縦線１３ｂに合わせると共に、眼鏡レンズＭＬのマークＭ１，Ｍ２，Ｍ３を目盛１３ａの横線１３ｃに合わせて、眼鏡レンズＭＬの軸出を行い、眼鏡レンズＭＬの載置位置を決める。
【００２７】
そして、この位置決終了後、型板載置板９及び吸着レバー１４を図２の状態から一体に水平方向に且つ時計回り方向に９０°回動させて、吸着レバー１４の先端部を図３，図５の如く眼鏡レンズＭＬの上方に配設し、吸着レバー１４の先端部に保持させた吸着カップ２３を図５の如く眼鏡レンズＭＬ上に配置する。
【００２８】
この状態で、筒体８の上端部のキャップ部８ａを下方に押圧することにより、図示しないコイルスプリングの付勢力に抗して型板載置板９及び吸着レバー１４を筒体８と一体に支柱７に沿って下方に降下させ、吸着レバー１４の先端部に保持させた吸着カップ２３を眼鏡レンズＭＬに押し付ける。これにより、吸着カップ２３のカップ２５が眼鏡レンズＭＬに吸着される。
【００２９】
この後、筒体８の上端部のキャップ部８ａから押圧力を解除することにより、型板載置板９及び吸着レバー１４は筒体８と一体に図示しないコイルスプリングのバネ力（付勢力）で上昇させられる。この際、眼鏡レンズＭＬも吸着レバー１４の先端部に保持させた吸着カップ２３と一体に上昇させられる。
【００３０】
そして、カップ押出軸２０の頭部２０ａを押圧することにより、吸着カップ２３の軸部２４が嵌合凹部１７から下方に押し出されると共に、嵌合凹部１７内の位置決突起２１が軸部２４の位置決凹部２６から抜き取られる。この状態で、眼鏡レンズＭＬを下方に軽く引っ張ることで、吸着カップ２３の位置決凹部２６からカップ押出軸２０の位置決突起２２を抜き取ることができる。
【００３１】
【発明の実施の形態２】
以上説明した発明の実施の形態１では、吸着カップ取付装置１５を軸出器に用いた例を示したが、必ずしもこれに限定されるものではない。例えば、吸着カップ取付装置１５は図８に示したようなレンズメータに適用しても良い。以下、このレンズメータについて説明する。
【００３２】
図８において、３０はこの発明に係るレンズメータである。レンズメータ３０の本体３１の前面下部には、キーボード３２が設けられている。このキーボード３２は、レンズの光学特性測定時に用いる多数の操作スイッチ３３と、データ入力モード設定用の多数のスイッチ３４と、データとしての数値入力用のテンキー３５を有する。また、本体３１の前面中央には光部品収納部３６が突設され、光部品収納部３６上にはレンズ受け台３７が設けられている。
【００３３】
このレンズ受け台３７の上方には、本体３１と一体の光学部品収納部３８が配設されている。この光部品収納部３８内には、図示を省略した光源からの測定光束をレンズ受台３７に向けて投影する投影光学系の光学部品が内蔵されている。また、光部品収納部３６内には、投影光学系により光部品収納部３８から投影される測定光束を受光する受光光学系の光学部品（図示せず）が内蔵されている。この様な投影光学系及び受光光学系を有する測定光学系には周知の構成が採用できるので、その詳細な説明は省略する。
【００３４】
また、光学部品収納部３８には、図示しないレンズ押えや印点手段（マーキング手段）が装着されている。そして、本体３１の上部にはモニター液晶表示器（表示手段）３９が設けられている。尚、レンズ押えや印点手段（マーキング手段）にも周知の構成が採用できるので、その詳細な説明は省略する。
【００３５】
また、光学部品収納部３８の下部には、加工治具取り付け手段としての吸着盤取付レバー３９が軸線Ａ−Ａ´を中心に水平回動可能に且つ上下方向に駆動可能に装着されている。この吸着盤取付レバー３９の回動操作及び上下方向への駆動操作は、手動で行なうようにしているが、自動的に行なうようにしても良い。この吸着盤取付レバー３９の中間部には上述した吸着カップ取付装置２５が設けられている。
【００３６】
尚、この様なレンズメータ３０による眼鏡レンズＭＬの屈折特性の測定や、測定結果に伴う軸出しのための図７の様なマークＭ１，Ｍ２，Ｍ３の印点は、従来と同様にして行うことができるので、その説明は省略する。
【００３７】
次に、この様な構成のレンズメータ３０の作用を説明する。
【００３８】
この様な構成においては、レンズメータ３０の図示しない電源スイッチをオンさせると、図示を省略した光源が点灯させられて、この光源からの測定光束が光部品収納部３８からレンズ受台３７に向けて投影される。この測定光束は、光部品収納部３６内の受光光学系の受光素子（エリアＣＣＤ）により受光される。そして、受光素子（エリアＣＣＤ）からの受光信号（測定信号）は図示しない演算制御回路（演算手段）に入力される。この演算制御回路は、入力される受光信号（測定信号）からレンズ受台３７上に載置された眼鏡レンズＭＬの光学特性を求めて、この光学特性を液晶表示器３９に表示させる。
【００３９】
また、演算制御回路は、処方に基づく眼鏡レンズ形状Ｌ，アイポイントＰ，未加工で円形の眼鏡レンズ（被加工レンズ）ＭＬのレンズ形状ＭＬ′、レンズ形状ＭＬ′の中心Ｏ（眼鏡レンズＭＬの光学中心），処方に基づく乱視軸Ｘ等を液晶表示器８に表示させる。
【００４０】
この状態で、レンズ受台３７上の眼鏡レンズＭＬを前後左右に移動させたり水平回転させたりする操作をすることにより、演算制御回路はレンズ形状ＭＬ′を液晶表示器８上で眼鏡レンズ形状Ｌに対して相対移動させる。この相対移動は、眼鏡レンズＭＬの測定光軸におけるプリズム量から求められる。尚、このプリズム量の算出も従来周知の方法により行うことができるので、その詳細な説明は省略する。
【００４１】
従って、眼鏡レンズＭＬの移動操作により、アイポイントＰと眼鏡レンズＭＬのレンズ形状ＭＬ′の中心Ｏが一致する様にすると共に、乱視軸Ｘと眼鏡レンズＭＬの円柱軸Ｘ′が一致する様にすることで、眼鏡レンズＭＬの軸出しができる。この際、レンズ形状ＭＬ′及びその中心Ｏを液晶表示器８上で固定しておいて、眼鏡レンズ形状Ｌ，アイポイントＰ，処方に基づく乱視軸Ｘ等を液晶表示器８の画面上で移動させても良いし、又逆に、眼鏡レンズ形状Ｌ，アイポイントＰ，処方に基づく乱視軸Ｘ等を液晶表示器８の画面上に固定しておいて、レンズ形状ＭＬ′及びその中心Ｏを液晶表示器８上で移動させるようにしても良い。
【００４２】
一方、吸着盤取付レバー３９の吸着カップ取付装置２５に吸着カップ２３を保持させておく。そして、上述の軸出しが終了後、吸着盤取付レバー３９を９０度回転させて、吸着カップ２３の中心を眼鏡レンズＭＬの光学中心Ｏに一致させる。次に、この吸着盤取付レバー３９を押し下げて、吸着盤取付レバー３９の吸着カップ２３をレンズ受け台３７上の眼鏡レンズＭＬに吸着させる。この吸着に際しては、吸着カップ２３の中心と眼鏡レンズＭＬの光学中心とが一致させられる。
【００４３】
この後、発明の実施の形態１と同様に吸着カップ取付装置２５のカップ取出軸２０の頭部２０ａを押圧操作することにより、吸着カップ２３を眼鏡レンズＭＬと一体に吸着盤取付レバー３９から取り外すことができる。
【００４４】
以上説明したように、この発明の実施の形態の吸着カップ取付装置２５は、吸着カップ２３を保持する保持部（嵌合凹部１７）を有し、眼鏡レンズＭＬに吸着カップ２３を取りつけるための吸着カップ取付装置において、吸着カップ２３を保持部から取り外すための取り外し手段（カップ押出軸２０）を設けている。
【００４５】
この構成によれば、吸着カップ２３を保持部（嵌合凹部１７）から取り外すための取り外し手段（カップ押出軸２０）を設けたことから、撥水コートされた眼鏡レンズ等にゴム製等のフレキシブルな吸着カップ２３を取りつける際に、吸着カップ２３を保持部（嵌合凹部１７）から取り外しやすくなり、眼鏡レンズＭＬに吸着カップ２３を取りつける軸出作業等の操作性がよくなり、作業効率を上げることができる。
【００４６】
また、この発明の実施の形態の軸出器やレンズメータ３０は、吸着カップ取付装置２５を備えているので、吸着カップ２３を保持部（嵌合凹部１７）から取り外すための取り外し手段（カップ押出軸２０）を設けたことから、撥水コートされた眼鏡レンズ等にゴム製等のフレキシブルな吸着カップ２３を取りつける際に、吸着カップ２３を保持部（嵌合凹部１７）から取り外しやすくなり、眼鏡レンズＭＬに吸着カップ２３を取りつける軸出作業等の操作性がよくなり、作業効率を上げることができる。
【００４７】
【発明の効果】
以上のとおり、吸着カップを保持部から取り外すための取り外し手段を設けたことから、撥水コートされた眼鏡レンズ等にゴム製等のフレキシブルな吸着カップを取りつける際に、吸着カップを保持部から取り外しやすくなり、眼鏡レンズに吸着カップを取りつける軸出作業等の操作性がよくなり、作業効率を上げることができる。
【図面の簡単な説明】
【図１】この発明に係る吸着カップ取付装置を備える軸出器の概略斜視図である。
【図２】図１の軸出器を異なる角度から見た説明図である。
【図３】図２の軸出器の作用説明図である。
【図４】図１〜図３の吸着レバーの先端部の一部を下方から見た拡大斜視図である。
【図５】図１のＡ−Ａ１線に沿う断面図である。
【図６】図１の吸着カップの斜視図である。
【図７】図１の眼鏡レンズの平面図である。
【図８】図１〜図５の吸着カップ取付装置を備えるレンズメータの斜視図である。
【符号の説明】
１７…嵌合凹部（保持部）
２０…カップ押出軸（取り外し手段）
２３…吸着カップ
２５…吸着カップ取付装置
３０…レンズメータ
ＭＬ…眼鏡レンズ
【図１】
2004301676.tif 000003
【図２】
2004301676.tif 000004
【図３】
2004301676.tif 000005
【図４】
2004301676.tif 000006
【図５】
2004301676.tif 000007
【図６】
2004301676.tif 000008
【図７】
2004301676.tif 000009
【図８】
2004301676.tif 000010